(57)【要約】【課題】各代理店（又は販売店）向けに専用のＷｅｂサイトを提供する場合には、従来は、各代理店ごとに個別にＷｅｂサイトを設けていた。そのため、取引する代理店の数が増えると、製作するＷｅｂサイトの種類が増大し、また保守管理に必要なコストも増大することになる。【解決手段】Ｗｅｂサーバ１１０では、予め契約したＡ代理店５１からのアクセスを代理店共通サイト１１３で受け付け、サイトディスパッチ機能１４０によりアクセス元のＡ代理店５１を認証する。また、Ａ代理店５１に固有なＡ社用仮想サイト１２１を生成して表示する。また、アクセス元のＡ代理店５１とＡ社用見積もりＤＢ１３１を関連付け、Ａ代理店５１に固有な商取引情報を提供する。Ｂ代理店５２、Ｃ代理店５３についても同様である。【選択図】　図１
2004133690.tif 000002
【特許請求の範囲】
【請求項１】
予め契約した特定企業に対して専用のＷｅｂサイトを提供すると共に、当該特定企業及び該特定企業のユーザからのアクセスを受け付け、商取引に関連する情報の提供及び商取引を行うためのサーバにおける前記Ｗｅｂサイトの生成方法であって、
前記特定企業向けに固有の仮想サイトを生成するために必要な情報を登録するためのカスタマイズ情報ＤＢ登録手順と、
前記特定企業向けの仮想サイトで使用する商品価格情報を含む商取引に関連する情報を見積もりデータとして登録するための見積もりＤＢ登録手順と、
前記特定企業からのアクセス情報を基に、当該特定企業を認証するためのサイトディスパッチ手順と、
前記認証された特定企業に応じて、前記カスタマイズ情報ＤＢを参照し、当該特定企業向けにカスタマイズされた仮想サイトを生成して表示するための仮想サイト表示手順と、
前記仮想サイトで使用する見積もりデータを特定するために、前記見積もりＤＢを参照し、前記特定企業と該特定企業に対応する見積もりデータとを関連づける見積もりＤＢディスパッチ手順と
を含むことを特徴とすることを特徴とする特定企業向けＷｅｂサイトの生成方法。
【請求項２】
前記特定企業の認証を、ＩＰアドレスか、ドメイン名により行うことを特徴とする請求項１に記載の特定企業向けＷｅｂサイトの生成方法。
【請求項３】
前記特定企業のユーザが当該特定企業の社員であり、前記特定企業の認証に加えて、前記社員の認証をユーザＩＤとパスワードにより行うためのログイン認証手順と、
前記社員の個人属性情報と取引履歴情報を含む個人関連情報を記録するための顧客ＤＢ登録手順と、
前記顧客ＤＢを参照し、前記認証された社員に対する固有のＷｅｂページを表示して、情報の提供と商取引を行うためのマイページ表示手順と
をさらに含むことを特徴とする請求項１及び請求項２に記載の特定企業向けＷｅｂサイトの生成方法。
【請求項４】
ユーザからの質問を受け付け回答を送信するための処理を行うＱ＆Ａ処理手順と、
前記Ｑ＆Ａのデータを、関連する特定企業及び個人を識別する情報を追加して記録するＱ＆Ａテーブル記録手順と、
前記特定企業に固有のＱ＆Ａについては、当該特定企業に回答を依頼するための処理を行う回答依頼手順と、
前記Ｑ＆Ａテーブルに記録されたＱ＆Ａ情報を、前記個人識別情報を指標として閲覧するためのＱ＆Ａテーブル閲覧手順と
をさらに含むことを特徴とする請求項１から３のいずれかに記載の特定企業向けＷｅｂサイトの生成方法。
【請求項５】
予め契約した特定企業に対して専用のＷｅｂサイトを提供すると共に、当該特定企業及び該特定企業のユーザからのアクセスを受け付け、商取引に関連する情報の提供及び商取引を行うためのサーバであって、
前記特定企業向けに固有の仮想サイトを生成するために必要な情報を登録するためのカスタマイズ情報ＤＢ登録手段と、
前記特定企業向けの仮想サイトで使用する商品価格情報を含む商取引に関連する情報を見積もりデータとして登録するための見積もりＤＢ登録手段と、
前記特定企業からのアクセス情報を基に、当該特定企業を認証するためのサイトディスパッチ手段と、
前記認証された特定企業に応じて、前記カスタマイズ情報ＤＢを参照し、当該特定企業向けにカスタマイズされた仮想サイトを生成して表示するための仮想サイト表示手段と、
前記仮想サイトで使用する見積もりデータを特定するために、前記見積もりＤＢを参照し、前記特定企業と該特定企業に対応する見積もりデータとを関連づける見積もりＤＢディスパッチ手段と
を具備することを特徴とする特定企業向けＷｅｂサイトを生成するサーバ。
【請求項６】
前記特定企業の認証を、ＩＰアドレスか、ドメイン名により行うことを特徴とする請求項５に記載の特定企業向けＷｅｂサイトを生成するサーバ。
【請求項７】
前記特定企業のユーザが当該特定企業の社員であり、前記特定企業の認証に加えて、前記社員の認証をユーザＩＤとパスワードにより行うためのログイン認証手段と、
前記社員の個人属性情報と取引履歴情報を含む個人関連情報を記録するための顧客ＤＢ登録手段と、
前記顧客ＤＢを参照し、前記認証された社員に対する固有のＷｅｂページを表示して、情報の提供と商取引を行うためのマイページ表示手段と
をさらに具備することを特徴とする請求項５又は請求項６に記載の特定企業向けＷｅｂサイトを生成するサーバ。
【請求項８】
予め契約した特定企業に対して専用のＷｅｂサイトを提供すると共に、当該特定企業及び該特定企業のユーザからのアクセスを受け付け、商取引に関連する情報の提供及び商取引を行うためのサーバ内のコンピュータに、
前記特定企業向けに固有の仮想サイトを生成するために必要な情報を登録するためのカスタマイズ情報ＤＢ登録手順と、
前記特定企業向けの仮想サイトで使用する商品価格情報を含む商取引に関連する情報を見積もりデータとして登録するための見積もりＤＢ登録手順と、
前記特定企業からのアクセス情報を基に、当該特定企業を認証するためのサイトディスパッチ手順と、
前記認証された特定企業に応じて、前記カスタマイズ情報ＤＢを参照し、当該特定企業向けにカスタマイズされた仮想サイトを生成して表示するための仮想サイト表示手順と、
前記仮想サイトで使用する見積もりデータを特定するために、前記見積もりＤＢを参照し、前記特定企業と該特定企業に対応する見積もりデータとを関連づける見積もりＤＢディスパッチ手順と
を実行させるためのプログラム。
【発明の詳細な説明】
【０００１】
【発明の属する技術分野】
本発明は、商品の卸売販売を行うサプライ企業などが、商取引関係のある複数の特定企業（代理店又は販売店）に専用のＷｅｂサイトを提供する場合に、該特定企業向けのＷｅｂサイトを効率的に生成することができる、特定企業向けＷｅｂサイトの生成方法、及び特定企業向けＷｅｂサイトを生成するサーバに関する。
【０００２】
【従来の技術】
従来、ＯＡ機器（プリンタ等）の消耗品などを卸売り販売するサプライ企業が、代理店（又は販売店）及び当該代理店のユーザ向けに専用の　Ｗｅｂサイトを提供することがある。そして、このＷｅｂサイトを通して、商品情報の提供や、商品の見積もり・受注を受け付ける。このように、サプライ企業が専用のＷｅｂサイトを提供する場合には、以下の理由により、各代理店ごとに専用のＷｅｂサイトを個別に設けていた。
・各代理店のユーザから、Ｗｅｂサイトにアクセスがあった場合には、各代理店の社名やロゴをＷｅｂページ上に表示する必要がある。
・各代理店ごとに、販売する商品の種類や価格が異なる場合があり、個別に設定できるようにする。
・各代理店及び当該代理店のユーザ向けに固有の「お知らせ事項」を連絡することができるようにする。
【０００３】
また、代理店などの認証方法については、従来は、ユーザＩＤ（識別記号）とパスワードを用いるのが一般的であり、代理店ごとに、ユーザＩＤとパスワードを管理する必要があった。また、ＩＰアドレスやドメイン名を用いて代理店を認証する方法は、個別企業ごとの取引を行うために個別のサイトを設けるＥＤＩ（電子データ交換）系に用いられ場合が多く、上述した専用サイトの問題を解決するに際しては、同時に認証方法についても改善する必要があった。
【０００４】
【特許文献１】
特開２０００−１４８８５１号公報
【０００５】
【発明が解決しようとする課題】
以上説明したように、サプライ企業が各代理店（又は販売店）向けに専用のＷｅｂサイトを提供する場合には、従来は、各代理店ごとに個別にＷｅｂサイトを設けていた。そのため、取引する代理店の数が増えると、製作するＷｅｂサイトの種類が増大し、また保守管理に必要なコストも増大する。
【０００６】
本発明は、上記課題を解決するためになされたものであり、その目的は、商取引関係のある複数の特定企業（代理店及び販売店）及び該企業のユーザ向けに専用のＷｅｂサイトを提供する場合に、該企業向けのＷｅｂサイトを効率的に生成することができる、特定企業向けＷｅｂサイトの生成方法、特定企業向けＷｅｂサイトを生成するサーバを提供することにある。
【０００７】
【課題を解決するための手段】
本発明は上記課題を解決するためになされたものであり、本発明の特定企業向けＷｅｂサイトの生成方法は、予め契約した特定企業に対して専用のＷｅｂサイトを提供すると共に、当該特定企業及び該特定企業のユーザからのアクセスを受け付け、商取引に関連する情報の提供及び商取引を行うためのサーバにおける前記Ｗｅｂサイトの生成方法であって、前記特定企業向けに固有の仮想サイトを生成するために必要な情報を登録するためのカスタマイズ情報ＤＢ登録手順と、前記特定企業向けの仮想サイトで使用する商品価格情報を含む商取引に関連する情報を見積もりデータとして登録するための見積もりＤＢ登録手順と、前記特定企業からのアクセス情報を基に、当該特定企業を認証するためのサイトディスパッチ手順と、前記認証された特定企業に応じて、前記カスタマイズ情報ＤＢを参照し、当該特定企業向けにカスタマイズされた仮想サイトを生成して表示するための仮想サイト表示手順と、前記仮想サイトで使用する見積もりデータを特定するために、前記見積もりＤＢを参照し、前記特定企業と該特定企業に対応する見積もりデータとを関連づける見積もりＤＢディスパッチ手順とを含むことを特徴とする。
【０００８】
これにより、複数の特定企業（取引先）に提供するＷｅｂサイトを共通化でき、Ｗｅｂサイトの作成、保守管理コストを削減できる。
【０００９】
また、本発明の特定企業向けＷｅｂサイトの生成方法は、前記特定企業の認証を、ＩＰアドレスか、ドメイン名により行うことを特徴とする。
これにより、特定企業の認証が自動的に、確実に、かつ容易に行える。
【００１０】
また、本発明の特定企業向けＷｅｂサイトの生成方法は、前記特定企業のユーザが当該特定企業の社員であり、前記特定企業の認証に加えて、前記社員の認証をユーザＩＤとパスワードにより行うためのログイン認証手順と、前記社員の個人属性情報と取引履歴情報を含む個人関連情報を記録するための顧客ＤＢ登録手順と、前記顧客ＤＢを参照し、前記認証された社員に対する固有のＷｅｂページを表示して、情報の提供と商取引を行うためのマイページ表示手順とをさらに含むことを特徴とする。
【００１１】
これにより、過去の購入履歴の情報を利用した発注を行うなど、商取引を効率的に行うことができる。
【００１２】
また、本発明の特定企業向けＷｅｂサイトの生成方法は、ユーザからの質問を受け付け回答を送信するための処理を行うＱ＆Ａ処理手順と、前記Ｑ＆Ａのデータを、関連する特定企業及び個人を識別する情報を追加して記録するＱ＆Ａテーブル記録手順と、前記特定企業に固有のＱ＆Ａについては、当該特定企業に回答を依頼するための処理を行う回答依頼手順と、前記Ｑ＆Ａテーブルに記録されたＱ＆Ａ情報を、前記個人識別情報を指標として閲覧するためのＱ＆Ａテーブル閲覧手順とをさらに含むことを特徴とする。
これにより、過去のＱ＆Ａ情報を個人情報として閲覧することができる。
【００１３】
また、本発明の特定企業向けＷｅｂサイトを生成するサーバは、予め契約した特定企業に対して専用のＷｅｂサイトを提供すると共に、当該特定企業及び該特定企業のユーザからのアクセスを受け付け、商取引に関連する情報の提供及び商取引を行うためのサーバであって、前記特定企業向けに固有の仮想サイトを生成するために必要な情報を登録するためのカスタマイズ情報ＤＢ登録手段と、前記特定企業向けの仮想サイトで使用する商品価格情報を含む商取引に関連する情報を見積もりデータとして登録するための見積もりＤＢ登録手段と、前記特定企業からのアクセス情報を基に、当該特定企業を認証するためのサイトディスパッチ手段と、前記認証された特定企業に応じて、前記カスタマイズ情報ＤＢを参照し、当該特定企業向けにカスタマイズされた仮想サイトを生成して表示するための仮想サイト表示手段と、前記仮想サイトで使用する見積もりデータを特定するために、前記見積もりＤＢを参照し、前記特定企業と該特定企業に対応する見積もりデータとを関連づける見積もりＤＢディスパッチ手段とを具備することを特徴とする。
【００１４】
これにより、複数の特定企業（取引先）に提供するＷｅｂサイトを共通化でき、Ｗｅｂサイトの作成、保守管理コストを削減できる。
【００１５】
また、本発明の特定企業向けＷｅｂサイトを生成するサーバは、前記特定企業の認証を、ＩＰアドレスか、ドメイン名により行うことを特徴とする。
これにより、特定企業の認証が自動的に、確実に、かつ容易に行える。
【００１６】
また、本発明の特定企業向けＷｅｂサイトを生成するサーバは、前記特定企業のユーザが当該特定企業の社員であり、前記特定企業の認証に加えて、前記社員の認証をユーザＩＤとパスワードにより行うためのログイン認証手段と、前記社員の個人属性情報と取引履歴情報を含む個人関連情報を記録するための顧客ＤＢ登録手段と、前記顧客ＤＢを参照し、前記認証された社員に対する固有のＷｅｂページを表示して、情報の提供と商取引を行うためのマイページ表示手段とをさらに具備することを特徴とする。
【００１７】
これにより、過去の購入履歴の情報を利用した発注を行うなど、商取引を効率的に行うことができる。
【００１８】
また、本発明のコンピュータプログラムは、予め契約した特定企業に対して専用のＷｅｂサイトを提供すると共に、当該特定企業及び該特定企業のユーザからのアクセスを受け付け、商取引に関連する情報の提供及び商取引を行うためのサーバ内のコンピュータに、前記特定企業向けに固有の仮想サイトを生成するために必要な情報を登録するためのカスタマイズ情報ＤＢ登録手順と、前記特定企業向けの仮想サイトで使用する商品価格情報を含む商取引に関連する情報を見積もりデータとして登録するための見積もりＤＢ登録手順と、前記特定企業からのアクセス情報を基に、当該特定企業を認証するためのサイトディスパッチ手順と、前記認証された特定企業に応じて、前記カスタマイズ情報ＤＢを参照し、当該特定企業向けにカスタマイズされた仮想サイトを生成して表示するための仮想サイト表示手順と、前記仮想サイトで使用する見積もりデータを特定するために、前記見積もりＤＢを参照し、前記特定企業と該特定企業に対応する見積もりデータとを関連づける見積もりＤＢディスパッチ手順とを実行させるためのプログラムである。
【００１９】
【発明の実施の形態】
次に本発明の実施の形態例について図面を参照して説明する。
［本発明が適用されるシステムの説明］
最初に、本発明の特定企業向けＷｅｂサイトの生成方法が適用されるシステムの例について説明する。なお、本明細書では、「データベース」のことを、単に「ＤＢ」ともいう。また、サプライ企業の代理店（又は販売店）などの特定企業を「エージェント」ともいう。
図１７は、本発明の特定企業向けＷｅｂサイトの生成方法が適用されるシステムの例を示す図であり、ＯＡ機器（主にプリンタ等）やプリンタ等の消耗品を受注・販売するサプライ企業（卸売り企業）１００のシステムの例を示している。図１７において、サプライ企業１００には、会社全体の業務を運用する基幹システム３００と、それに付随するＷｅｂサーバ１１０が設備される。Ｗｅｂサーバ１１０は、通信ネットワーク１を介して、代理店（又は特定企業）１０等からの商品注文、商品照会、Ｑ＆ＡなどをＷｅｂサイトを介して受け付けるように構成される。
また、Ｗｅｂサーバ１１０で、商品の注文などを受け付ける場合には、以下の形態がある。
▲１▼ＢｔｏＢｔｏＣ：ユーザ１１からのアクセスを、代理店１０のサーバを介して受け付けるチャネルである。
▲２▼ＢｔｏＢｔｏＥ：代理店２０の社員２１からのアクセスを、代理店２０のサーバを介して受け付けるチャネルである。
▲３▼ＢｔｏＥ：社員（サプライ企業の社員）３０からのアクセスを、受け付けるチャネルである。
▲４▼ＢｔｏＣ：一般のエンドユーザ３１からのアクセスを、受け付けるチャネルである。
▲５▼ＢｔｏＭｔｏＢ：マーケットプレイスとなる代理店４０のサーバを介して、代理店４１からのアクセスを受け付けるチャネルである。
【００２０】
また、Ｗｅｂサーバ１１０内には、Ｂ２Ｃサイト１１１、社販サイト１１２、代理店共通サイト１１３、特定企業社員向け販売サイト１１４等が設けられる。Ｂ２Ｃサイトは、一般のエンドユーザ３１からのアクセスを受け付けるサイトである。社販サイト１１２は、社員３０への社内販売を受け付けるサイトである。代理店共通サイト１１３と、特定企業社員向け販売サイト１１４が、本発明の特定企業向けＷｅｂサイトの生成方法が適用されるサイトであり、後で詳細に説明する。
【００２１】
また、図１８は、サプライ企業１００のＷｅｂサーバ１１０で用意されるＷｅｂサイトのシステムタイプを示す図であり、「ＢｔｏＣ」または「ＢｔｏＢｔｏＣ」の場合の例である。
▲１▼図１８（ａ）は、サプライ企業と個人ユーザ（または商品を自社消費する企業ユーザ）（ＢｔｏＣ）が直接取引する直接販売型のシステムタイプであり、Ｗｅｂサーバ１１０には直販用Ｗｅｂサイト（Ｂ２Ｃサイト）が用意される。
▲２▼図１８（ｂ）は、サプライ企業と、代理店等と、ユーザ（ＢｔｏＢｔｏＣ）が取引する場合の専用サイト提供型のシステムタイプであり、サプライ企業が代理店等に、専用のＷｅｂサイトを自動生成して提供するシステムタイプである。本発明の特定企業向けＷｅｂサイトの生成方法は、この専用サイト提供型のシステムタイプに適用することができる。
▲３▼図１８（ｃ）は、サプライ企業と、代理店等と、ユーザ（ＢｔｏＢｔｏＣ）が取引する場合のエンジン提供型のシステムタイプであり、代理店等が運用するＷｅｂサイトに、サプライ企業の商品等を検索するための検索エンジンを提供するシステムタイプである。
【００２２】
また、図１９は、サプライ企業１００のＷｅｂサーバ１１０で用意されるＷｅｂサイトのシステムタイプを示す図であり、「ＢｔｏＢ」または「ＢｔｏＢ（Ｍ）ｔｏＢ」の場合の例である。
▲１▼図１９（ａ）は、サプライ企業と代理店等（ＢｔｏＢ）が直接取引する直接販売型のシステムタイプであり、Ｗｅｂサーバ１１０には直販用Ｗｅｂサイトが用意される。
▲２▼図１９（ｂ）は、サプライ企業と、代理店等（又はマーケットプレイス）と、代理店等（ＢｔｏＢ（Ｍ）ｔｏＢ）が取引する場合の専用サイト提供型のシステムタイプであり、サプライ企業が代理店等（又はマーケットプレイス）に対して、専用のＷｅｂサイトを自動生成して提供するシステムタイプである。本発明の特定企業向けＷｅｂサイトの生成方法は、この専用サイト提供型のシステムタイプに適用することができる。
▲３▼図１９（ｃ）は、サプライ企業と、代理店等（又はマーケットプレイス）と、代理店等（ＢｔｏＢ（Ｍ）ｔｏＢ）が取引する場合のエンジン提供型のシステムタイプであり、代理店等（又はマーケットプレイス）の取引先が運用するＷｅｂサイトに、サプライ企業の商品等を検索するための検索エンジンを提供するシステムタイプである。
【００２３】
また、図２０は、サプライ企業１００のＷｅｂサーバ１１０で用意されるＷｅｂサイトのシステムタイプを示す図であり、「ＢｔｏＥ」または「ＢｔｏＢｔｏＥ」の場合の例である。
▲１▼図２０（ａ）は、サプライ企業とその社員（ＢｔｏＥ）が直接取引する直接販売型のシステムタイプであり、Ｗｅｂサーバ１１０には社員向け直販用Ｗｅｂサイトが用意される。
▲２▼図２０（ｂ）は、サプライ企業と、代理店等と、代理店の社員（ＢｔｏＢｔｏＥ）が取引する場合の専用サイト提供型のシステムタイプであり、サプライ企業が代理店等に対して、専用のＷｅｂサイトを自動生成して提供するシステムタイプである。本発明の特定企業向けＷｅｂサイトの生成方法は、この専用サイト提供型のシステムタイプに適用することができる。
【００２４】
［代理店共通サイトの例］
本発明の特定企業向けＷｅｂサイトの生成方法は、代理店共通サイトとして、図１８（ｂ）、図１９（ｂ）に示した、専用サイト提供型のシステムタイプに適用される。
図１は、本発明による代理店共通サイトの概要を説明するための図であり、図１において、サプライ企業１００のＷｅｂサーバ１１０内には代理店共通サイト１１３が設けられ、Ａ代理店５１、Ｂ代理店５２、Ｃ代理店５２に対して、それぞれの専用サイトを提供するように構成される。そして、代理店からのアクセスを代理店共通サイト１１３で受け付けると、サイトディスパッチ機能１４０により、各代理店からのアクセスを切り分け（アクセスした代理店を特定）、各代理店ごとの仮想サイト１２１、１２２、１２３を生成して表示する。また、各代理店ごとに、見積もりＤＢ１３１、１３２、１３３と関連付け、各代理店ごとに個別に商品種類（商品ラインアップ）、価格（標準価格、販売価格）などを表示する。なお、見積もりＤＢ１３１、１３２、１３３は、Ｗｅｂサーバ１１０内ではなく、基幹システム３００内に設備し、基幹システム３００側で一元的に管理しているが、Ｗｅｂサーバ１１０内に設けてもよい。また、本例では、各代理店ごとに、見積もりＤＢ１３１、１３２、１３３を個別に設けているが、一つのデータベース（ＤＢ）に集約し、データエリアを分けて格納することもできる。
【００２５】
また、図２は、代理店共通サイトの機能構成を示す図であり、本発明に直接関係する機能を示したものであり、以下、各機能について説明する。
（１）サイトディスパッチ機能１４０
図３は、サイトディスパッチ処理の概要を説明するための図であり、代理店共通サイト１１３に対し、代理店５１等からアクセスがあった場合に、サイトディスパッチ機能１４０により、代理店５１等からのアクセスを受け付け、アクセス情報を基に、代理店５１等の認証を行う機能である。認証方法には、Ｗｅｂブラウザからのリクエスト情報を利用した自動認証（ＩＰアドレス／ドメイン名）と、共通ログイン画面による手動認証があり、いずれかのエージェント認証に成功すると、見積もりＤＢディスパッチ機能（後述）により、エージェント情報（見積もりデータベース（ＤＢ）を含む）との関連付けが可能となる。
▲１▼ＩＰアドレス認証
図４は、ＩＰアドレス認証について説明するための図であり、エージェント（代理店等）のサーバ６０からのアクセスを代理店共通サイト１１３で受け付け、アクセス情報からＩＰアドレスを取得し、ネットワーク情報ＤＢ１５１を検索して、エージェントの認証を行う。認証に成功した場合には、エージェントに対応するＷｅｂサイト（仮想サイト）を表示し、該当するエージェントの見積もりＤＢディスパッチ処理に移行する。失敗（ＮＧ）した場合は、ドメイン名認証に移行する。なお、エージェントのＩＰアドレスの取得は、リクエスト情報（環境変数）から取得する。
また、ネットワーク情報ＤＢ１５１には、予めエージェントのＩＰアドレスをネットワーク情報として登録しておく。ＩＰアドレスは１台のコンピュータ固有のＩＰアドレス指定、または複数のコンピュータをグループ化したアドレス（ネットワークアドレスとサブネットマスクの組み合わせ）を指定する。これにより、アクセス元となるエージェントが複数のＩＰアドレスを有する場合にも対応できる。
▲２▼ドメイン名認証
図５は、ドメイン名認証について説明するための図であり、ＩＰアドレス認証が行えなかった場合は、ドメイン名情報ＤＢ１５２を参照して、ドメイン名による認証を行う。ドメイン名認証は、まずエージェント（代理店等）のドメイン名を取得し、取得したドメイン名より、ドメイン名情報ＤＢ１５２を検索し、エージェントを認証する。認証に成功した場合は、エージェントに対応するＷｅｂサイト（仮想サイト）を表示し、失敗した場合は、ログイン認証に移行する。なお、エージェントのドメイン名は、リクエスト情報（環境変数）から取得する。
また、ドメイン名情報ＤＢ１５２には、あらかじめエージェントのドメイン名とドメイン情報として登録しておく。なお、１つのエージェントに対して、複数のドメイン名を登録することが可能である。
▲３▼ログイン認証
図６は、ログイン認証について説明するための図であり、ＩＰアドレス及びドメイン名による認証が行えなかった場合には、ログイン認証を行う。ログイン認証は、全代理店共通のログインページを表示し、ログインページに入力された「ユーザＩＤ」と「パスワード」によりエージェントを認証する。認証に成功した場合は、エージェントに対応するＷｅｂサイトを表示し、失敗した場合は、ログインページにエラーメッセージを表示する。
また、エージェント情報ＤＢ１５３には、あらかじめエージェント情報として「ユーザＩＤ」と「パスワード」を登録しておく。なお、サイトディスパッチ機能によりＩＰアドレス認証、ドメイン名認証が行うことのできない個人（又は企業）でも、会員登録してユーザＩＤとパスワードを取得し、ログイン認証を行うことで、代理店共通サイトの持つサービスを利用することができる。
【００２６】
（２）仮想サイト生成機能１４１は、エージェント（代理店等）ごとに専用のＷｅｂサイトを表示する。この場合、社名、サイトロゴなどを企業ごとにカスタマイズする他、表示する商品種類や販売価格を企業ごとに切り替えて表示する（図１１参照）。なお、この処理は、カスタマイズ情報ＤＢ１５４を参照して行う。また、ＡＳＰ（Ａｃｔｉｖｅ　Ｓｅｒｖｅｒ　Ｐａｇｅｓ）などを使用してＷｅｂページを動的に自動生成する。
【００２７】
（３）見積もりＤＢディスパッチ機能１４２は、生成された仮想サイトに対し、対応する見積もりＤＢを関連付ける機能である。図７の見積もりＤＢディスパッチ機能について説明するための図に例示するように、見積もりＤＢ１３０は、Ｂ２Ｃ／社販／代理店ごとに販売可能商品および表示価格、販売価格を変更するためのデータベースであり、Ａ社用見積もりＤＢ１３１、Ｂ社用見積もりＤＢ１３２、Ｂ２Ｃ用見積もりＤＢ１３４、社販用見積もりＤＢ１３５などが格納される。そして、代理店共通サイト１１３内のサイトディスパッチ機能１４０と併用することで、複数の代理店５１、５２と、対応する各エージェント（Ａ社及びＢ社）用の見積もりＤＢ１３１、１３２とを関連付ける。また、本例では、各エージェントごとに、見積もりＤＢ１３１、１３２を個別に設けているが、一つのデータベース（ＤＢ）に集約し、データエリアを分けて格納することもできる。また、見積もりＤＢ１３０内の各ＤＢは日次バッチで更新される。また、見積もりＤＢ１３０は、基幹システム側に設備し、基幹システム側で一元的に管理される。
【００２８】
図８（ａ）に各エージェント用の見積もりＤＢのデータ構成例を示す。
エージェント用の見積もりＤＢ内には、見積もりマスタが記録され、見積もりマスタには以下のデータが記録される。
・エージェントＣＤは、エージェントを識別するコードであり、各代理店ごとにユニークなコードが付与される。
・商品ＣＤは、商品を識別するコードである。
・有効期限Ｆｒｏｍ及び有効期限ｔｏは、販売対象期間である。
・標準価格には、基本的にはメーカ希望小売価格を設定する。
・販売価格には、各エージェント（代理店）の販売価格を設定する。
・その他、見積書番号などが記録される。
なお、図８（ｂ）に示すように、対象となるユーザごとに、販売価格が異なる。図８（ｂ）に示す例では、Ｂ２Ｃユーザ、社販ユーザ、代理店に分けて販売価格を設定する例である。
【００２９】
（４）Ｏｎｅ　ｔｏ　Ｏｎｅ機能１４３は、ログイン認証により、Ｏｎｅ　ｔｏ　Ｏｎｅ利用者の認証を行い、Ｏｎｅ　ｔｏ　Ｏｎｅ機能を利用するユーザには、マイページ機能（例えば、各企業の仮想サイトの中で各社員ごとのページを表示する機能）などを提供する機能である。なお、この処理は、顧客ＤＢ１５６を参照して行われ、顧客ＤＢ１５６には、顧客属性や過去の購入履歴の情報などが記録される。
【００３０】
（５）商品検索機能１４４は、図１６に例示するように、「バスケット機能１７１」と連動する機能であり、商品検索には、「型番検索」、「ジャンル別検索」、「機種別検索」などがある。商品検索の際には、商品ＤＢ１５７及び機種テーブル１５８などが参照される。商品ＤＢ１５７には、「商品分類」、「商品型番」などの情報が記録される。機種テーブル１５８には、「商品型番」、「機種型番」などの情報が記録される。
【００３１】
（６）商品決済機能１４５は、図１６に例示するように、商品の購入代金を決済する機能である。決済方法としては、「代引き」、「クレジット」、「コンビニ振込」、「銀行振込」、「自動引き落とし」などが利用できる。
【００３２】
［特定企業社員向け販売サイトの例］
次に、特定企業向け販売サイトの例について説明する。前述した代理店共通サイトの例では、代理店と代理店のユーザを主な対象としていたが、特定企業社員向け販売サイトでは、図２０（ｂ）に示すような、代理店などの特定企業の社員（営業部員など）を対象としたサイトの例である。
図９は、特定企業社員向け販売サイトの構成例を示す図であり、Ａ代理店社員５１ａ、Ｂ代理店社員５２ａ、Ｃ代理店社員５３ａがアクセスする特定企業社員向け販売サイト２００を設ける。なお、本例では、特定企業社員向け販売サイト２００を、代理店共通サイト１１３等の他のサイトとは独立して設けている。
【００３３】
また、特定企業社員向け販売サイト２００には、サイトディスパッチ機能１４０ａが設けられ、サイトディスパッチ機能１４０ａは、図３に示すサイトディスパッチ機能１４０と同様な機能であり、接続元のアクセス情報により、最初にＩＰアドレス認証を行い、ＩＰアドレス認証ができなかった場合には、ドメイン名認証を行う。ＩＰアドレス認証及びドメイン名認証の両方が行えなかった場合には、ログイン認証を行う。認証に成功すると、仮想サイト生成機能１４１ａにより仮想サイト１２１、１２２、１２３を生成し表示すると共に、見積もりＤＢディスパッチ機能１４２ａにより、見積もりＤＢ１３１、１３２、１３３との関連付けが可能となる。なお、本例では、各代理店ごとに、見積もりＤＢ１３１、１３２、１３３を個別に設けているが、一つのデータベース（ＤＢ）に集約し、データエリアを分けて格納することもできる。
【００３４】
また、図１０は、特定企業社員向け販売サイトの機能構成を示す図であり、特定企業社員向け販売サイトには、前述したサイトディスパッチ機能１４０ａ、仮想サイト生成機能１４１ａ、見積もりＤＢディスパッチ機能１４２ａの他に、以下の機能が含まれる。
▲１▼Ｏｎｅ　ｔｏ　Ｏｎｅ機能２０１には、以下の機能が含まれる。
・マイページ機能：企業ごとのページの中で、さらに個人を認証する機能を設け、各企業の仮想サイトの中で各社員ごとのページを表示する機能である。
・会員登録／会員登録修正機能
・送付先登録機能
・Ｗｅｂ見積もり機能：Ｗｅｂページ上で商品の見積もりを行う機能である。
【００３５】
▲２▼商品検索機能２０２は、以下の機能が含まれる。
・ジャンル別検索機能
・プリンタ別検索機能
・型番別検索機能
・複合検索機能
・お使いのプリンタ機種検索機能：Ｏｎｅ　ｔｏ　Ｏｎｅ機能２０１によりログインしたユーザが使用できる機能であり、ユーザが所有するプリンタを登録しておき、ユーザの所有するプリンタに対応する消耗品の検索が行える機能である。
・注文商品リスト検索機能：Ｏｎｅ　ｔｏ　Ｏｎｅ機能２０１によりログインしたユーザが使用できる機能であり、ユーザが過去に注文した商品の一覧が表示され、同じ商品を再度注文する場合に使用する機能である。
▲３▼商品詳細表示機能２０３は、商品ごとの個別画面を表示する機能である。
▲４▼決済機能２０４は、ショッピングカートによる購入の一連の流れを処理するための機能である。
【００３６】
▲５▼ヘッドラインニュース機能２０５は、特定企業のからのお知らせ、又はサプライ企業からのお知らせを表示する機能である。例えば、サーバの停止日などのお知らせを行う。
▲６▼Ｑ＆Ａ機能２０６は、ユーザからの問い合わせを受けて、回答を返すための処理を行う機能である。
▲７▼サイト管理機能２０７は、Ｏｎｅ　ｔｏ　Ｏｎｅ機能２０１、決済機能２０４、ヘッドラインニュース機能２０５等の処理を管理するバックヤードの機能である。
【００３７】
また、以下のデータベースを使用する。
▲１▼商品マスタ／顧客マスタ等ＤＢ２１１は、商品マスタ、顧客マスタ、受注ヘッダ／明細等のデータを記録するデータベースである。
▲２▼ヘッドラインテーブル２１２は、「特定企業からのお知らせ」と「サプライ企業からのお知らせ」を登録するテーブルである。
・「特定企業からのお知らせ」は、エージェント（代理店などの特定企業）ごとに設定することができる。
・「サプライ企業からのお知らせ」は、特定企業社員向けに共通の「お知らせ」である。
▲３▼Ｑ＆Ａテーブル２１３は、Ｑ＆Ａのデータを記録するテーブルであり、どの特定企業からの問い合わせかを識別するために、エージェントＣＤ（識別記号）を追加して記録する。また、Ｑ＆Ａデータに、エージェントＣＤと個人識別情報を付加して記録することもできる。また、エージェントに固有のＱ＆Ａについては、当該エージェントに回答を依頼できるように構成される。また、マイページにより、個人情報として過去のＱ＆Ａを見ることができる。
【００３８】
また、特定企業社員向け販売サイトでは、以下の項目をカスタマイズできるように構成されている。
▲１▼Ｏｎｅ　ｔｏ　Ｏｎｅ機能の利用の有無
▲１▼−１Ｏｎｅ　ｔｏ　Ｏｎｅ機能を利用する場合
・ユーザは会員登録を行うことができる。登録した住所に商品を送付する場合、簡易な操作で注文を行うことができる。
・商品の送付先を複数登録することができる。
・一度注文した商品を簡易に注文することができる。
・会員登録時に、所有プリンタを登録すると、所有するプリンタ機種に対応した消耗品の検索を行うことができる。
▲１▼−２Ｏｎｅ　ｔｏ　Ｏｎｅ機能を利用しない場合
・会員登録をすることはできない。
・商品注文時に毎回送付先を入力する。
▲２▼サイトロゴ：共通ヘッダに表示されるサイトロゴ画像を企業ごとに設定することができる。
▲３▼販売対象製品の選択
以下の３パターンから選択できる。
・ハードのみ
・消耗品のみ
・ハード及び消耗品
【００３９】
また、図１１は、特定企業社員向け販売サイトのデザイン例を示す図であり、サイトデザインは以下のように構成される。
・サイトロゴ２２１は、企業ごとのロゴを表示するエリアである。
・営業担当者エリア２２２は、サプライ企業の営業担当者の写真、名前、メールアドレス及びコメントを表示するエリアであり、エージェント毎に設定可能である。
・ヘッドラインニュース２２３は、「特定企業からのお知らせ」と「サプライ企業からのお知らせ」を表示するエリアであり、テキストまたは画像の表示が可能なエリアである。
・Ｏｎｅ　ｔｏ　Ｏｎｅ　エリア２２４は、Ｏｎｅ　ｔｏ　Ｏｎｅ機能を利用する企業の会員がログイン済みの時のみ表示されるエリアである。
・ショッピングエリア２２５には、３パターンあり、企業ごとに選択可能なエリアである。図１２（ａ）は、「ハードのみを販売」する場合のパターンを示し、図１２（ｂ）は、「消耗品のみを販売」するパターンを示し、図１２（ｃ）は、「ハード＋消耗品」を販売する場合のパターンを示す。
【００４０】
また、図１３は、特定企業社員向け販売サイトの処理の遷移状態を示すサイトマップであり、上述した特定企業社員向け販売サイトにおける表示画面の遷移を示したものである。なお、図１３に例示するように、サイトディスパッチ機能によりＩＰアドレス認証、ドメイン名認証が行えなかった個人（又は企業）でも、会員登録してユーザＩＤとパスワード取得し、特定企業社員向け販売サイトの持つサービスを利用することができる。
【００４１】
［システム全体の処理の流れについての説明］
また、図１４、図１５及び図１６は、上述した代理店共通サイト及び特定企業社員向け販売サイトを使用したシステム全体の処理の流れをまとめて示したものである。
（１）図１４は、サイトディスパッチ機能の処理の流れについて示す図であり、ＩＰアドレス認証（ステップＳ１０１）、ドメイン名認証（ステップＳ１０２）、ログイン認証（ステップＳ１０３）のいずれかの認証が「ＯＫ」であれば、図１５のステップに移行する。
【００４２】
（２）図１５のステップＳ２０１では、エージェントの情報を判断し、エージェントごとに専用のＷｅｂサイト（仮想サイト）を表示する。この場合、図１１に例示するように、サイトロゴ、担当営業者エリア、ヘッドラインニュース、Ｏｎｅ　ｔｏ　Ｏｎｅエリアを企業ごとにカスタマイズする他、ショッピンクエリアに表示する部品の表示を企業ごとに切り替えて表示する。なお、この処理は、カスタマイズ情報ＤＢ１５４を参照して行う。
【００４３】
（３）図１５のステップＳ２０２では、各エージェント向けの商品ラインナップ及び商品価格を表示する。なお、この処理は、各エージェント用見積もりＤＢ１５５を参照して行い、見積もりＤＢ１５５には、「商品型番」や「販売価格」などの情報が記録されている。
【００４４】
（４）図１５に示すステップＳ２０３では、Ｏｎｅ　ｔｏ　Ｏｎｅ利用者の認証を行い、Ｏｎｅ　ｔｏ　Ｏｎｅ機能を利用するユーザには、マイページ機能（各企業の仮想サイトの中で各社員ごとのページを表示する機能）、会員登録／会員登録修正機能、送付先登録機能、Ｗｅｂ見積もり機能（Ｗｅｂページ上で商品の見積もりを行う機能）などを提供する。なお、この処理は、顧客ＤＢ１５６を参照して行われ、顧客ＤＢ１５６には、顧客属性の情報などが記録される。
【００４５】
（５）また、図１６に示す商品検索機能１４４は、バスケット機能１７１と連携する機能であり、商品検索には、「型番検索」、「ジャンル別検索」、「機種別検索」などがある。商品検索の際には、商品ＤＢ１５７及び機種テーブル１５８などが参照される。商品ＤＢ１５７には、「商品分類」、「商品型番」などの情報が記録される。機種テーブル１５８には、「商品型番」、「機種型番」などの情報が記録される。
【００４６】
（６）また、図１６に示す決済機能１４５は、購入商品の代金を決済する機能である。決済方法としては、「代引き」、「クレジット」、「コンビニ振込」、「銀行振込」、「自動引き落とし」などが利用できる。
【００４７】
以上、本発明の実施の形態ついて説明したが、図２に示す、代理店共通サイト内の各機能、図１０に示す特定企業社員向け販売サイト内の各機能を実現するためのプログラムをコンピュータ読み取り可能な記録媒体に記録して、この記録媒体に記録されたプログラムをコンピュータシステムに読み込ませ、実行することにより、必要な処理を行ってもよい。
【００４８】
また、「コンピュータ読み取り可能な記録媒体」とは、フレキシブルディスク、光磁気ディスク、ＲＯＭ、ＣＤ−ＲＯＭ等の可般媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００４９】
以上、本発明の実施の形態について説明したが、本発明の特定企業向けＷｅｂサイトの生成方法、及び特定企業向けＷｅｂサイトを生成するサーバは、上述の図示例にのみ限定されるものではなく、本発明の要旨を逸脱しない範囲内において種々変更を加え得ることは勿論である。
【００５０】
【発明の効果】
以上説明したように本発明の特定企業向けＷｅｂサイトの生成方法、及び特定企業向けＷｅｂサイトを生成するサーバにおいては、予め契約した特定企業向けに固有のＷｅｂサイト（仮想サイト）を生成するために必要な情報をカスタマイズ情報ＤＢに登録し、また、仮想サイトで使用する各特定企業ごとの商品価格等の情報を見積もりデータとして見積もりＤＢに登録する。そして、各特定企業を認証した後に、各特定企業向けの仮想サイトを生成して表示する。また、各特定企業に関連付けられた見積もりデータを使用して、当該特定企業に固有な商取引情報を提供する。
これにより、複数の特定企業（取引先）に提供するＷｅｂサイトを汎用化でき、Ｗｅｂサイトの作成、保守管理コストを削減できる。
【００５１】
また、本発明の特定企業向けＷｅｂサイトの生成方法、及び特定企業向けＷｅｂサイトを生成するサーバにおいては、特定企業の認証を、ＩＰアドレスか、ドメイン名により行う。
これにより、特定企業の認証が自動的に、確実に、かつ容易に行える。
【００５２】
また、本発明の特定企業向けＷｅｂサイトの生成方法、及び特定企業向けＷｅｂサイトを生成するサーバにおいては、特定企業の社員を、ユーザＩＤとパスワードにより認証し、社員の個人属性情報と取引履歴情報を記録した顧客ＤＢを参照し、社員に対する固有のＷｅｂページを表示して、情報の提供と商取引を行う。
これにより、過去の購入履歴の情報を利用した発注を行うなど、商取引を効率的に行うことができる。
【００５３】
また、本発明の特定企業向けＷｅｂサイトの生成方法においては、Ｑ＆Ａのデータを、関連する特定企業及び個人を識別する情報を追加してＱ＆Ａテーブルに記録し、記録されたＱ＆Ａ情報を個人情報として閲覧できるようにする。
これにより、過去のＱ＆Ａ情報を個人情報として閲覧することができる。
【図面の簡単な説明】
【図１】本発明による代理店共通サイトの概要を説明するための図である。
【図２】代理店共通サイトの機能構成を示す図である。
【図３】サイトディスパッチ処理の概要を説明するための図である。
【図４】ＩＰアドレス認証について説明するための図である。
【図５】ドメイン名認証について説明するための図である。
【図６】ログイン認証について説明するための図である。
【図７】見積もりＤＢディスパッチ機能について説明するための図である。
【図８】見積もりＤＢのデータ構成例を示す図である。
【図９】特定企業社員向け販売サイトの構成例を示す図である。
【図１０】特定企業社員向け販売サイトの機能構成を示す図である。
【図１１】特定企業社員向け販売サイトのデザイン例を示す図である。
【図１２】ショッピングエリアのパターンを示す図である。
【図１３】特定企業社員向け販売サイトの処理の遷移状態を示すサイトマップである。
【図１４】システム全体の処理の流れを示す図その１である。
【図１５】システム全体の処理の流れを示す図その２である。
【図１６】システム全体の処理の流れを示す図その３である。
【図１７】本発明の特定企業向けＷｅｂサイトの生成方法が適用されるシステムの例を示す図である。
【図１８】Ｗｅｂサイトのシステムタイプを示す図その１である。
【図１９】Ｗｅｂサイトのシステムタイプを示す図その２である。
【図２０】Ｗｅｂサイトのシステムタイプを示す図その３である。
【符号の説明】
１…通信ネットワーク、　１０、２０、４１…代理店（特定企業）、１１、３１…ユーザ、２１、３０…社員、５１…Ａ代理店、５２…Ｂ代理店、５３…Ｃ代理店、５１ａ…Ａ代理店社員、５２ａ…Ｂ代理店社員、５３ａ…Ｃ代理店社員、１００…サプライ企業、１１０…Ｗｅｂサーバ、１１１…Ｂ２Ｃサイト、１１２…社販サイト、１１３…代理店共通サイト、１１４、２００…特定企業社員向け販売サイト、１２１…Ａ社用仮想サイト、１２２…Ｂ社用仮想サイト、１２３…Ｃ社用仮想サイト、１３０…見積もりＤＢ、１３１…Ａ社用見積もりＤＢ、１３２…Ｂ社用見積もりＤＢ、１３３…Ｃ社用見積もりＤＢ、１４０、１４０ａ…サイトディスパッチ機能、１４１、１４１ａ…仮想サイト生成機能、１４２、１４２ａ…見積もりＤＢディスパッチ機能、１４３、２０１…Ｏｎｅ　ｔｏ　Ｏｎｅ機能、１４４、２０２…商品検索機能、１４５、２０４…決済機能、１５１…ネットワーク情報ＤＢ、１５２…ドメイン名情報ＤＢ、１５３…エージェント情報ＤＢ、１５４…カスタマイズ情報ＤＢ、１５５…各エージェント用見積もりＤＢ、１５６…顧客ＤＢ、１５７…商品ＤＢ、１５８…機種テーブル、２０３…商品詳細表示機能、２０５…ヘッドラインニュース機能、２０６…Ｑ＆Ａ機能、２０７…サイト管理機能、２１１…商品マスタ／顧客マスタ等ＤＢ、２１２…ヘッドラインテーブル、２１３…Ｑ＆Ａテーブル、３００…基幹システム
【図１】
2004133690.tif 000003
【図２】
2004133690.tif 000004
【図３】
2004133690.tif 000005
【図４】
2004133690.tif 000006
【図５】
2004133690.tif 000007
【図６】
2004133690.tif 000008
【図７】
2004133690.tif 000009
【図８】
2004133690.tif 000010
【図９】
2004133690.tif 000011
【図１０】
2004133690.tif 000012
【図１１】
2004133690.tif 000013
【図１２】
2004133690.tif 000014
【図１３】
2004133690.tif 000015
【図１４】
2004133690.tif 000016
【図１５】
2004133690.tif 000017
【図１６】
2004133690.tif 000018
【図１７】
2004133690.tif 000019
【図１８】
2004133690.tif 000020
【図１９】
2004133690.tif 000021
【図２０】
2004133690.tif 000022